(57)【特許請求の範囲】
【請求項１】
容器を保持するホルダであって、
天板と、
前記天板の周囲を取り囲み、下方に向けて延びる側壁と、を備え、
前記天板および前記側壁には、前記天板を横切り、両端が側壁にまで到達する帯状部分が設けられ、
前記帯状部分の前記帯状部分が延びる方向に対して交差する側の両側部には、一方の前記側壁から前記天板を通過し他方の前記側壁にかけて延びる切り目線が設けられ、
前記帯状部分の前記天板に位置する領域を下方に向けて押圧することにより、前記切り目線が破断し、前記帯状部分の上方に凸形状が下方の凹形状に反転した形態となるとともに、
前記天板を底面として用いた場合には、前記天板および前記天板の周囲を取り囲む前記側壁によりトレーが構成される、ホルダ。
【請求項２】
前記天板は、平面視において矩形形状を有し、
前記側壁は、前記天板の周囲に沿って連続して形成された、第１側壁、第２側壁、第３側壁、および、第４側壁を含み、
前記第１側壁と前記第３側壁とは対向し、前記第２側壁と前記第４側壁とは対向する配置関係となり、
前記帯状部分は、前記第１側壁、前記天板、および、前記第３側壁にかけて連続するように設けられ、
前記切り目線は、前記帯状部分の両側部において、前記第１側壁から前記第３側壁にかけて延びるように設けられ、
前記帯状部分の前記天板に位置する領域を下方に向けて押圧することにより、前記切り目線が破断し、前記帯状部分の上方に凸形状が下方の凹形状に反転した形態となる、
請求項１に記載のホルダ。
【請求項３】
前記第１側壁に位置する前記帯状部分において、
前記帯状部分の端部位置、および、前記第１側壁と前記天板とが交わる角部位置には、横方向に横断する折り曲げ線が設けられ、
前記第３側壁に位置する前記帯状部分において、
前記帯状部分の端部位置、および、前記第３側壁と前記天板とが交わる角部位置には、横方向に横断する折り曲げ線が設けられている、
請求項２に記載のホルダ。
【請求項４】
前記側壁は、下方に向うにしたがって外側に向う傾斜を有する領域を含む、請求項１から請求項３のいずれか１項に記載のホルダ。
【請求項５】
前記帯状部分が前記凹形状に反転した形態において、
前記帯状部分の前記天板に位置する領域は、前記側壁の下端を含む仮想平面と略同じ高さ位置となる、請求項１から請求項４のいずれか１項に記載のホルダ。 
【発明の詳細な説明】
【技術分野】
【０００１】
この発明は、紙製カップ、プラスチック製カップ、その他の携行に容易な容器、または、同等の外形形状を有する商品を、持ち運びに便利なように起立させた状態を保持する、ホルダに関する。
【背景技術】
【０００２】
ファーストフード店、コーヒーショップなどにおいては、持ち帰りが可能なように、紙製カップ、プラスチック製カップが多く用いられている。また、様々な飲料製品においても、取扱いの容易性、軽量性、廃棄の容易性の観点から、紙製カップ、プラスチック製カップ等の容器が多く用いられている。
【０００３】
たとえば、実開平０３−２６７１１号公報（特許文献１）には、カップの底部を嵌め入れるための開口が設けられ、この開口でカップを起立させた状態を保持する、紙製トレーが開示されている。
【０００４】
また、実開平０３−９０８６８号公報（特許文献２）に、カップの底部領域を嵌め入れるための開口が設けられ、この開口でカップを起立させた状態を保持する、紙製トレーが開示されている。
【先行技術文献】
【特許文献】
【０００５】
【特許文献１】実開平０３−２６７１１号公報
【特許文献２】実開平０３−９０８６８号公報
【発明の概要】
【発明が解決しようとする課題】
【０００６】
従来の紙製トレーにおいては、組み立て後には、底面を有する箱型形状であることから、使用に際しては折り畳まれた状態から組み立てる必要があった。また、近年では、コンビニエンスストアーでのコーヒーの販売（いわゆる、コンビニコーヒー）が、新たな商品として注目され、コーヒーを提供する際には、迅速に紙製トレーを組み立てる必要が生じ、従来の紙製トレーにおいては、組み立てる煩わしさが生じていた。
【０００７】
この発明は上記課題に鑑みてなされたものであり、使用時における組み立てる煩わしさを不要とし、容易に使用することのできる形態を備えるホルダを提供することを目的とする。
【課題を解決するための手段】
【０００８】
本発明に基づくホルダは、商品容器を保持するホルダであって、天板と、上記天板の周囲を取り囲み、下方に向けて延びる側壁とを備え、上記天板および上記側壁には、上記天板を横切り、両端が側壁にまで到達する帯状部分が設けられ、上記帯状部分の上記帯状部分が延びる方向に対して交差する側の両側部には、一方の上記側壁から上記天板を通過し他方の上記側壁にかけて延びる切り目線が設けられ、上記帯状部分の上記天板に位置する領域を下方に向けて押圧することにより、上記切り目線が破断し、上記帯状部分の上方に凸形状が下方の凹形状に反転した形態となる。
【０００９】
本発明の一形態においては、上記天板は、平面視において矩形形状を有し、上記側壁は、上記天板の周囲に沿って連続して形成された、第１側壁、第２側壁、第３側壁、および、第４側壁を含み、上記第１側壁と上記第３側壁とは対向し、上記第２側壁と上記第４側壁とは対向する配置関係となり、上記帯状部分は、上記第１側壁、上記天板、および、上記第３側壁にかけて連続するように設けられ、上記切り目線は、上記帯状部分の両側部において、上記第１側壁から上記第３側壁にかけて延びるように設けられ、上記帯状部分の上記天板に位置する領域を下方に向けて押圧することにより、上記切り目線が破断し、上記帯状部分の上方に凸形状が下方の凹形状に反転した形態となる。
【００１０】
本発明の一形態においては、上記第１側壁に位置する上記帯状部分において、上記帯状部分の端部位置、および、上記第１側壁と上記天板とが交わる角部位置には、横方向に横断する折り曲げ線が設けられ、上記第３側壁に位置する上記帯状部分において、上記帯状部分の端部位置、および、上記第３側壁と上記天板とが交わる角部位置には、横方向に横断する折り曲げ線が設けられている。
【００１１】
本発明の一形態においては、上記側壁は、下方に向うにしたがって外側に向う傾斜を有する領域を含む。
【００１２】
本発明の一形態においては、上記帯状部分が上記凹形状に反転した形態において、上記帯状部分の上記天板に位置する領域は、上記側壁の下端を含む仮想平面と略同じ高さ位置となる。
【発明の効果】
【００１３】
この発明によれば、使用時における組み立てる煩わしさを不要とし、容易に使用することのできる形態を備えるホルダの提供を可能とする。
【図面の簡単な説明】
【００１４】
【図１】実施の形態１におけるホルダの全体斜視図である。
【図２】実施の形態１におけるホルダの展開図である。
【図３】図１中のＩＩＩ−ＩＩＩ線矢視断面図である。
【図４】図１中のＩＶ−ＩＶ線矢視断面図である。
【図５】実施の形態１におけるホルダの帯状部が、下方に向けて凹形状に反転した形態を示す斜視図である。
【図６】図５中のＶＩ−ＶＩ線矢視断面図である。
【図７】実施の形態１におけるホルダにコーヒーカップを載置した状態を示す斜視図である。
【図８】実施の形態１におけるホルダを容器として用いた場合の斜視図である。
【図９】実施の形態１におけるホルダの変形例を示す断面図である。
【図１０】実施の形態１におけるホルダの他の変形例を示す断面図である。
【図１１】実施の形態２におけるホルダの全体斜視図である。
【図１２】実施の形態３におけるホルダの全体斜視図である。
【図１３】実施の形態４におけるホルダの全体斜視図である。
【図１４】実施の形態４におけるホルダの展開図である。
【図１５】実施の形態４におけるホルダの帯状部が、下方に向けて凹形状に反転した形態を示す斜視図である。
【図１６】実施の形態４におけるホルダにコーヒーカップを載置した状態を示す斜視図である。
【図１７】実施の形態４におけるホルダを容器として用いた場合の斜視図である。
【図１８】実施の形態５におけるホルダの全体斜視図である。
【図１９】実施の形態６におけるホルダの全体斜視図である。
【図２０】実施の形態７におけるホルダの全体斜視図である。
【図２１】実施の形態８におけるホルダの全体斜視図である。
【図２２】さらに他の実施の形態におけるホルダの断面図である。
【発明を実施するための形態】
【００１５】
本発明に基づいた一例における実施の形態について、以下、図面を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。図においては、実際の寸法比率では記載しておらず、構造の理解を容易にするために、一部比率を異ならせて記載している箇所を有する。
【００１６】
また、以下に示す実施の形態においては、シート材として厚紙を用いた場合について説明しているが、厚紙に限定されることなく、紙、樹脂、金属、または、これらの複合材料などを用いることができる。
【００１７】
また、一例としてコーヒーカップを保持する場合について説明しているが、コーヒーカップ５００に限定されず、飲料用として用いられるカップや、食品を保持するカップに対して適用してもよく、同等の形状を有する容器のホルダとして用いることができる。また、後述の実施の形態３（図１２参照）に示すように、カップの外形が矩形形状であってよい。
【００１８】
（実施の形態１：ホルダ１００）
図１から図６を参照して、本実施の形態におけるホルダ１００について説明する。図１は、ホルダ１００の全体斜視図、図２は、ホルダ１００の展開図、図３は、図１中のＩＩＩ−ＩＩＩ線矢視断面図、図４は、図１中のＩＶ−ＩＶ線矢視断面図、図５は、ホルダ１００の帯状部が、下方に向けて凹形状に反転した形態を示す斜視図、図６は、図５中のＶＩ−ＶＩ線矢視断面図である。
【００１９】
図１から図３を参照して、本実施の形態１におけるホルダ１００は、平面視において矩形形状の天板１１０、この天板１１０の周囲に沿って連続して形成された、第１側壁１１１、第２側壁１１２、第３側壁１１３、および、第４側壁１１４を含む。第１側壁１１１と第３側壁１１３とが対向し、第２側壁１１２と第４側壁１１４とが対向する配置関係となる。本実施の形態では、第１側壁および第３側壁が短辺となり、第２側壁１１２および第４側壁１１４が短辺となる。よって、天板１１０は平面視において長方形形状である。
【００２０】
天板１１０、第１側壁１１１、および、第３側壁１１３には、天板１１０を横切り、両端が第１側壁１１１、および、第３側壁１１３にまで到達する帯状部分１２０が設けられている。また、帯状部分１２０の帯状部分が延びる方向に対して交差する側の両側部には、第１側壁１１１から天板１１０を通過し第３側壁１１３にかけて延びる切り目線Ｃ１が設けられている。
【００２１】
第１側壁１１１に位置する帯状部分１２０において、帯状部分１２０の端部位置には、横方向に横断する折り曲げ線Ｂ１が設けられている。第１側壁１１１と天板１１０とが交わる角部位置にも、横方向に横断する折り曲げ線Ｂ５が設けられている。さらに、折り曲げ線Ｂ１と折り曲げ線Ｂ５との間の位置にも、横方向に横断する折り曲げ線Ｂ３が設けられている。同様に、第３側壁１１３に位置する帯状部分１２０にも、折り曲げ線Ｂ１、折り曲げ線Ｂ３、および、折り曲げ線Ｂ５が設けられている。
【００２２】
天板１１０に位置する帯状部分１２０の略中央領域の両側部には、外方に向う湾曲部Ｒ１がそれぞれ設けられている。さらに、湾曲部Ｒ１の外側に位置する天板１１０には、湾曲部Ｒ１に沿って下方に向って折り曲げられる折り曲げ辺領域１２１，１２２，１２３が設けられている。折り曲げられる折り曲げ辺領域１２１，１２２，１２３と天板１１０との境界には、折り曲げ線Ｂ７が設けられている。
【００２３】
さらに、折り曲げ辺領域１２１と折り曲げ辺領域１２２との間には、切り目線Ｃ３が設けられており、折り曲げ辺領域１２１と折り曲げ辺領域１２３との間には、切り目線Ｃ５が設けられている。
【００２４】
図２の展開図に示すように、本実施の形態におけるホルダ１００は、一枚の厚紙から形成されている。第２側壁１１２の両側にはそれぞれ耳辺１１２ａが設けられ、第４側壁１１４の両側にもそれぞれ耳辺１１４ａが設けられている。
【００２５】
天板１１０と第１側壁１１１との境界、および、天板１１０と第３側壁１１３との境界に位置する折り曲げ線Ｂ５、天板１１０と第２側壁１１２との境界、および、天板１１０と第４側壁１１４との境界に位置する折り曲げ線Ｂ９に沿って第１側壁１１１から第４側壁１１４を折り曲げ、それぞれの耳辺１１２ａを第１側壁１１１と第３側壁１１３との内側に接着させるとともに、それぞれの耳辺１１４ａを第２側壁１１２と第４側壁１１４との内側に接着させることで、図１に示す箱型のホルダ１００が形成される。
図３および図４に示すように、天板１１０に対して、第１側壁１１１から第４側壁１１４は、下方に向うにしたがって外側に向う傾斜を有している。天板１１０とそれぞれの第１側壁１１１から第４側壁１１４の傾斜角度（α°）は、５°から１５°程度であるとよい。好ましくは、傾斜角度（α°）は、９°から１０°程度であるとよい。また、後述するようにホルダ１００を容器として使用する場合には、その使用方法と、袋等の外装のサイズに適合させることで、傾斜角度は適宜選択されるものである。なお、第１側壁１１１から第４側壁１１４は、下方に向うにしたがって外側に向う傾斜を有している場合について説明しているが、傾斜を設けない構成であってもよい。
【００２６】
このように、第１側壁１１１から第４側壁１１４に傾斜を設けておくことで、天板１１０を上にして載置した場合にホルダ１００の載置状態を安定させることができる。さらに、未使用状態のホルダ１００を複数重ねて載置することができるため、保管スペースの省スペース化を図ることができる。
【００２７】
（カップの載置）
次に、図５および図６を参照して、上記構成を有するホルダ１００を、天板１１０を上側にしてカップを載置する。その後、帯状部分１２０の天板１１０に位置する領域を下方に向けて押圧する。これにより、切り目線Ｃ１が破断し、帯状部分１２０の上方に凸形状が下方の凹形状に反転した形態となる。
【００２８】
この時、図６に示すように、帯状部分１２０が凹形状に反転した形態において、帯状部分１２０の天板に位置する領域は、側壁の下端を含む仮想平面（ＶＢ）と略同じ高さ位置となる。また、折り曲げ辺領域１２１，１２２，１２３も下方に向けて折り曲げられた状態となる。これにより、例えば、持ち帰り用の携帯袋への収納時、テーブルへの載置時においても、カップを底面から支持するとともに、折り曲げ辺領域１２１，１２２，１２３においてカップの側面も支持することが可能となる。
【００２９】
（コーヒーカップ５００の保持状態）
図７を参照して、ホルダ１００を用いたコーヒーカップ５００の保持状態について説明する。図７は、ホルダ１００にコーヒーカップ５００を載置した状態を示す斜視図である。上記したように、コーヒーカップ５００を用いて、帯状部分１２０の天板１１０に位置する領域を下方に向けて押圧する。
【００３０】
これにより、帯状部分１２０が下方の凹形状に反転して、コーヒーカップ５００を底面から支持する。さらに、折り曲げ辺領域１２１，１２２，１２３もコーヒーカップ５００の下方への押圧にしたがって折れ曲がり、コーヒーカップ５００の側面も支持することが可能となる。
【００３１】
また、第１側壁１１１および第３側壁１１３に位置する帯状部分１２０に、あらかじめ折り曲げ線Ｂ１、折り曲げ線Ｂ３、および、折り曲げ線Ｂ５を設けておくことで、帯状部分１２０に下方に向う外力が加わった場合には、容易に、上方に凸形状の帯状部分１２０を下方に凹形状に反転させることができる。
【００３２】
（容器としての使用形態）
図８を参照して、ホルダ１００を容器として用いる場合について説明する。図８は、ホルダ１００を容器として用いた場合の斜視図である。ホルダ１００は、天板１１０の周囲に沿って連続して形成された、第１側壁１１１、第２側壁１１２、第３側壁１１３、および、第４側壁１１４を含むことから、天板１１０を底面として用いた場合には、いわゆるトレーとして用いることができる。
【００３３】
したがって、コンビニエンスストアーにおいて、コンビニコーヒーとサイドメニューとして例えば、ドーナツ６００を販売する場合に、同じ所に積み重ねられて配置されたホルダ１００を、コンビニコーヒーを提供する際には、コーヒーカップ５００のホルダとして用い、ドーナツ６００を提供する際には、ドーナツ６００の容器として用いることができる。
【００３４】
（作用・効果）
以上、本実施の形態におけるホルダ１００によれば、予め箱型の外形形態を有していることから、コーヒーカップ５００のホルダとして用いる場合には、コーヒーカップ５００を用いて、帯状部分１２０に下方に向う外力を加えることのみで、容易に、上方に凸形状の帯状部分１２０を下方に凹形状に反転させて、ホルダ１００として用いることができる。さらに、一枚の厚紙から構成されるとともに、カップを起立させた状態で保持する機能の他に、ドーナツ６００の容器としての機能も有することで、資材点数の削減、集約が可能となり、より環境にやさしい商品としての価値を付加させることを可能とする。
【００３５】
また、帯状部分１２０に、湾曲部Ｒ１を設ける場合について説明しているが、湾曲部Ｒ１は必ずしも必須ではない。
【００３６】
また、天板１１０の形状は平面視において長方形であるが、正方形であってもよい。
また、帯状部分１２０が凹形状に反転した形態において、帯状部分１２０の天板に位置する領域は、側壁の下端を含む仮想平面（ＶＢ）と略同じ高さ位置となる（図６参照）構成を採用しているが、図９に示すように、帯状部分１２０の天板に位置する領域と側壁の下端を含む仮想平面（ＶＢ）との間に隙間が生じる構成であってもよい。または、図１０に示すように、帯状部分１２０の天板に位置する領域が、側壁の下端を含む仮想平面（ＶＢ）よりも下方に位置する構成であってもよい。
【００３７】
（実施の形態２：ホルダ１００Ａ）
図１１を参照して、実施の形態２におけるホルダ１００Ａについて説明する。図１１は、ホルダ１００Ａの全体斜視図である。基本的な構成は、上記実施の形態１におけるホルダ１００と同じである。相違点は、第１側壁１１１および第３側壁１１３に位置する帯状部分１２０に、折り曲げ線Ｂ１、折り曲げ線Ｂ３、折り曲げ線Ｂ５に加え、さらに、折り曲げ線Ｂ１１を設けるようにしたものである。
【００３８】
この構成によっても、上記実施の形態１におけるホルダ１００と同様の作用効果を得ることができるとともに、折り曲げ線Ｂ１１をさらに設けることで、帯状部分１２０に下方に向う外力が加わった場合には、さらに容易に、上方に凸形状の帯状部分１２０を下方に凹形状に反転させることができる。
【００３９】
（実施の形態３：ホルダ１００Ｂ）
図１２を参照して、実施の形態３におけるホルダ１００Ｂについて説明する。図１２は、ホルダ１００Ｂの全体斜視図である。基本的な構成は、上記実施の形態１におけるホルダ１００と同じである。相違点は、第１側壁１１１および第３側壁１１３に位置する帯状部分１２０に、折り曲げ線Ｂ１および折り曲げ線Ｂ５のみを設けるようにしたものである。用いる材料によっては、折り曲げ線Ｂ１と折り曲げ線Ｂ５との間に追加の折り曲げ線を設けることなく、上方に凸形状の帯状部分１２０を下方に凹形状に反転させることができる。
【００４０】
さらに、他の相違点としては、湾曲部Ｒ１の外側に位置する天板１１０の折り曲げ辺領域１２１Ｂ，１２２Ｂ，１２３Ｂの形状が異なっている。上記実施の形態１の場合には、折り曲げ辺領域１２１，１２２，１２３の折り曲げ線Ｂ７も湾曲部Ｒ１の輪郭に沿った形状を有していることから、カップの外観形状が円形の場合に適している。
【００４１】
本実施の形態では、帯状部分１２０に対して直交する方向に延びる折り曲げ線Ｂ２０，Ｂ２１、帯状部分１２０に対して平行に延びる折り曲げ線Ｂ２７、折り曲げ線Ｂ２０と折り曲げ線Ｂ２７との交点に延びる切り目線Ｃ２１、および、折り曲げ線Ｂ２１と折り曲げ線Ｂ２７との交点に延びる切り目線Ｃ２３、を設けることにより、折り曲げ辺領域１２１Ｂ，１２２Ｂ，１２３Ｂが下方に向って折り曲げられた状態では、矩形の開口が形成される。よって、本実施の形態には、カップの外形形状が矩形の場合に適している。
【００４２】
この構成によっても、上記実施の形態１におけるホルダ１００と同様の作用効果を得ることができる。
【００４３】
（実施の形態４：ホルダ１００Ｃ）
図１３から図１７を参照して、実施の形態３におけるホルダ１００Ｃについて説明する。図１３は、ホルダ１００Ｃの全体斜視図、図１４は、ホルダ１００Ｃの展開図、図１５は、ホルダ１００Ｃの帯状部が、下方に向けて凹形状に反転した形態を示す斜視図、図１６は、ホルダ１００Ｃにコーヒーカップ５００を載置した状態を示す斜視図、図１７は、ホルダ１００Ｃを容器として用いた場合の斜視図である。
【００４４】
基本的な構成は、上記実施の形態１におけるホルダ１００と同じである。相違点は、２つのホルダ１００を連結したものである。図１４の展開図に示すように、一方の第２側壁１１２と他方の第４側壁１１４とがラインＬ１によって連結されている。折り畳み方は、上記実施の形態１の場合と同じである。
【００４５】
実施の形態１の場合と同様に、図１５および図１６に示すように、帯状部分１２０の天板１１０に位置する領域を下方に向けて押圧する。これにより、切り目線Ｃ１が破断し、帯状部分１２０の上方に凸形状が下方の凹形状に反転した形態となる。その結果、図１６に示すように、２箇所にコーヒーカップ５００を保持することできる。一方、図１７に示すように、容器として用いた場合には、たとえば、多くのドーナツ６００を収容することを可能とする。
【００４６】
この構成によっても、上記実施の形態１におけるホルダ１００と同様の作用効果を得ることができる。ラインＬ１に沿って分離しても良い。
【００４７】
（実施の形態５：ホルダ１００Ｄ）
図１８を参照して、実施の形態５におけるホルダ１００Ｄについて説明する。図１８は、ホルダ１００Ｄの全体斜視図である。基本的な構成は、上記実施の形態１におけるホルダ１００と同じである。相違点は、帯状部分１２０Ｄの形態が異なっており、２箇所に湾曲部Ｒ１が設けられることで、２つのカップを同時に保持することが可能となっている。
【００４８】
この構成によっても、上記実施の形態１におけるホルダ１００と同様の作用効果を得ることができる。
【００４９】
（実施の形態６：ホルダ１００Ｅ）
図１９を参照して、実施の形態６におけるホルダ１００Ｅについて説明する。図１９は、ホルダ１００Ｅの全体斜視図である。基本的な構成は、上記実施の形態６におけるホルダ１００Ｅと同じである。相違点は、２つのホルダ１００Ｅを連結したものである。これにより、４つのカップを同時に保持することが可能となっている。
【００５０】
この構成によっても、上記実施の形態１におけるホルダ１００と同様の作用効果を得ることができる。
【００５１】
（実施の形態７：ホルダ１００Ｆ）
図２０を参照して、実施の形態７におけるホルダ１００Ｆについて説明する。図２０は、ホルダ１００Ｆの全体斜視図である。上述した実施の形態１から６における天板１１０Ｆの形状は長方形であるが、本実施の形態は、天板１１０の形状が略円形であり、側壁１１１Ｆも、天板の周囲を取り囲み下方に向けて延びている。
【００５２】
また、実施の形態１におけるホルダ１００と同様に、天板１１０Ｆおよび側壁１１１Ｆには、天板１１０Ｆを横切り、両端が側壁にまで到達する帯状部分１２０が設けられ、帯状部分１２０の帯状部分１２０が延びる方向に対して交差する側の両側部には、一方の側壁１１１Ｆから天板１１０Ｆを通過し他方の側壁１１１Ｆにかけて延びる切り目線Ｃ１が設けられている。その他の構成は、実施の形態１におけるホルダ１００と同じである。
【００５３】
実施の形態１のホルダ１００の場合と同様に、帯状部分１２０の天板１１０Ｆに位置する領域を下方に向けて押圧することにより、切り目線Ｃ１が破断し、帯状部分１２０の上方に凸形状が下方の凹形状に反転した形態となる。
【００５４】
この構成によっても、上記実施の形態１におけるホルダ１００と同様の作用効果を得ることができる。
【００５５】
（実施の形態８：ホルダ１００Ｇ）
図２１を参照して、実施の形態８におけるホルダ１００Ｇについて説明する。図２１は、ホルダ１００Ｇの全体斜視図である。上述した実施の形態１から６における天板１１０の形状は長方形であるが、本実施の形態は、天板１１０Ｇの角部に面取り領域を構成する、面取壁１１５，１１６，１１７，１１８が設けられている。よって、平面視における天板１１０Ｇの形状は八角形となる。その他の構成は、実施の形態１におけるホルダ１００と同じである。
【００５６】
この構成によっても、上記実施の形態１におけるホルダ１００と同様の作用効果を得ることができる。
【００５７】
なお、上記各実施の形態におけるホルダ１００〜１００Ｇにおいては、カップの下方を側面側から支持する形態を採用しているが、例えば、図２２に示すように、商品７００の一方面に下方に延びる凸部７１０が設けられ、帯状部分１２０にこの凸部７１０が嵌合することで、商品７００の支持をより高める構成を採用していもよい。
【００５８】
また、ホルダ１００〜１００Ｇをトレーとして用いる場合に、商品の一例としドーナツ６００を用いた場合について説明してるが、ドーナツ６００に限定されることなく、載置可能な商品であればどのような商品であってもよい。
【００５９】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００６０】
１００，１００Ａ，１００Ｂ，１００Ｃ，１００Ｄ，１００Ｅ，１００Ｆ，１００Ｇ  ホルダ、１１０，１１０Ｆ，１１０Ｇ  天板、１１１  第１側壁、１１１Ｆ  側壁、１１２  第２側壁、１１３  第３側壁、１１４  第４側壁、１１５，１１６，１１７，１１８  面取壁、１２０，１２０Ｄ  帯状部分、１２１，１２２，１２３  折り曲げ辺領域、１１２ａ，１１４ａ  耳辺、５００  コーヒーカップ、６００  ドーナツ、７００  商品、７１０  凸部、Ｂ１，Ｂ３，Ｂ５，Ｂ７，Ｂ１１，Ｂ２０，Ｂ２１，Ｂ２７  折り曲げ線、Ｃ１，Ｃ３，Ｃ５，Ｃ２１，Ｃ２３  切り目線、Ｒ１湾曲部。
【図１】
0006752019.tif 000002
【図２】
0006752019.tif 000003
【図３】
0006752019.tif 000004
【図４】
0006752019.tif 000005
【図５】
0006752019.tif 000006
【図６】
0006752019.tif 000007
【図７】
0006752019.tif 000008
【図８】
0006752019.tif 000009
【図９】
0006752019.tif 000010
【図１０】
0006752019.tif 000011
【図１１】
0006752019.tif 000012
【図１２】
0006752019.tif 000013
【図１３】
0006752019.tif 000014
【図１４】
0006752019.tif 000015
【図１５】
0006752019.tif 000016
【図１６】
0006752019.tif 000017
【図１７】
0006752019.tif 000018
【図１８】
0006752019.tif 000019
【図１９】
0006752019.tif 000020
【図２０】
0006752019.tif 000021
【図２１】
0006752019.tif 000022
【図２２】
0006752019.tif 000023